(57)【要約】【課題】構造が簡単で、クリップ部材にポケットやノート等が進入し易く、且つ容易に外れないクリップ部材を有する筆記具を提供する。【解決手段】筒体にクリップ部材を一体または付設してなる、クリップ部材を有する筆記具において、前記クリップ部材の先端部の内壁に、軸心方向に延び、且つ前記軸筒と当接する係止突部を併設するとともに、該係止突部の間隙が、軸筒先端方向から軸筒後端方向に向かって離間する、ハの字形状に形成する。【選択図】          図１
2006240104.tif 000002
【特許請求の範囲】
【請求項１】
筒体にクリップ部材を一体または付設してなる、クリップ部材を有する筆記具において、前記クリップ部材の先端部の内壁に、軸心方向に延び、且つ前記軸筒と当接する係止突部を併設するとともに、該係止突部が、軸筒先端方向から軸筒後端方向に向かって間隙が離間する、ハの字形状に形成したことを特徴とするクリップ部材を有する筆記具。
【請求項２】
前記係止突部の傾斜角度が、９０度未満であることを特徴とする請求項１に記載のクリップ部材を有する筆記具。
【請求項３】
前記クリップ部材が、筒体とクリップ部材間に配設した弾性体によって、クリップ部材の先端内壁部を筒体外壁面側に常時弾発した状態に付設したことを特徴とする請求項１または２に記載のクリップ部材を有する筆記具。
【発明の詳細な説明】
【技術分野】
【０００１】
本発明は、筒体にクリップ部材を一体または付設してなる、クリップ部材を有する筆記具に関する。
【背景技術】
【０００２】
従来から、クリップ部材の先端内壁部の内壁に設けた玉部等の係止突部を有した、クリップ部材を有する筆記具はよく知られている。こうしたクリップ部材を有する筆記具において、特開２００４−２７６４７４号「クリップ及びこのクリップを取り付けた用具」や特開２００３−２４６１８９号「筆記具及び筆記具用クリップ」に、クリップ部材に係止したポケットやノート等が容易に外れない構造としたクリップ部材が開示されている。
【特許文献１】「特開２００４−２７６４７４号公報」
【特許文献２】「特開２００３−２４６１８９号公報」
【発明の開示】
【発明が解決しようとする課題】
【０００３】
しかしながら、特許文献１は、操作レバーを操作することによってクリップ部材に係止したポケットやノート等が容易に外れない構造となるが、構造が複雑であり、さらに、使用者が操作しなければないらいという煩雑さがあった。また、特許文献２は、常時、クリップ部材に係止したポケットやノート等が容易に外れない構造であるので好ましいが、表面摩擦抵抗の異なる二種類の材料を用いなければならず、材料の選定等が難しいという問題あった。
【０００４】
ところで、図６に示すようにクリップ部材１０３の先端内壁部の内壁に係止突部１０４を２個併設した構造も知られている。こうした係止突部を併設した構造は、係止突部を１個設けた構造に比べて、係止力が高くなる。これは、係止突部が１個の場合には、円筒形の軸筒と係止突部の接点は１個所であるが、係止突部を２個併設することにより、円筒形の軸筒と係止突部の接点が２個所になるためである。
【０００５】
確かに、係止突部を併設することにより係止力を高くすることはできるが、接点が多くなる分、クリップ部材に係止するポケットやノート等が進入し難くなってしまうとういう問題があった。
【０００６】
本発明の目的は、構造が簡単で、クリップ部材にポケットやノート等の被係止物が進入し易く、且つ容易に外れないクリップ部材を有する筆記具を提供することである。
【課題を解決するための手段】
【０００７】
本発明は、筒体にクリップ部材を一体または付設してなる、クリップ部材を有する筆記具において、前記クリップ部材の先端部の内壁に、軸心方向に延び、且つ前記軸筒と当接する係止突部を併設するとともに、該係止突部が、軸筒先端方向から軸筒後端方向に向かって間隙が離間する、ハの字形状に形成する。
【０００８】
また、前記係止突部の傾斜角度が、９０度未満であることを特徴とする。
【０００９】
また、前記クリップ部材が、筒体とクリップ部材間に配設した弾性体によって、クリップ部材の先端内壁部を筒体外壁面側に常時弾発した状態に付設したことを特徴とする。
【発明の効果】
【００１０】
構造が簡単で、構造が簡単で、クリップ部材にポケットやノート等の被係止物が進入し易く、且つ容易に外れないクリップ部材を有する筆記具を提供することができた。
【発明を実施するための最良の形態】
【００１１】
次に図面を参照しながら、本発明のクリップ部材を有する筆記具の実施例を説明するが、本発明は以下の実施例に限定されるものではない。
【実施例１】
【００１２】
図１から図５に示すクリップ部材を有する筆記具１は、軸筒２の外壁面２ａに一体に形成した主柱８に係合凸部９を設け、クリップ部材３の後端部に設けた両側壁５に、係合凸部９に対向する係合凹部１０を形成し、係合凸部９と係合凹部１０を凹凸係合して、クリップ部材３を軸筒２に付設してある。
【００１３】
また、軸筒２の後端部の外壁２ａに設けたクリップ部材３側に向かって延びる突起部６と、クリップ部材３の内壁に設けた軸筒２側に向かって延びる突起部７を覆うようにコイルスプリング１１を配設することにより、クリップ部材３の先端内壁部を、軸筒２の外壁面２ａ側に常時弾発して付設してある。また、クリップ部材３の後端部３ａを押圧（図１の矢印Ｆ方向）することにより、クリップ部材３と軸筒２との連結部を支点とし、クリップ部材３の先端内壁部を軸筒２の外壁面２ａから離間可能にしてある。
【００１４】
クリップ部材３の底壁には、貫通穴１２を挟み、対峙する係止突部４を、先端部の間隔Ｍに比べて軸筒後端方向に向かって傾斜して間隔Ｎが離間（Ｍ＜Ｎ）するハの字形状に併設してある。尚、係止突部４の形状は、特に限定されるものではないが縦断面方向で、ポケット等の被係止物が進入（図２の矢印Ｈの反対方向）し易いように略円弧状に形成してある。
【００１５】
係止突部４を併設することによって、軸筒２との接点Ｓが２個所になり挟持力が向上するとともに、ハの字形状に形成することによって、横断面方向において、進入時は、係止突部４の間隙が狭いので、ポケット等の被係止物（図示せず）が進入しやすい。
【００１６】
係止突部４の傾斜角度αは、特に限定されるものではないが、傾斜角度が９０度を超えるとポケット等の被係止物（図示せず）が進入しにくくなるので、９０度未満とすることが好ましい。
【００１７】
また、ハの字形状に形成することによって、図７に示すような平行に併設したクリップ部材１０３の係止突部１０４に比べて被係止物（図示せず）を挟持する力が向上する。これは、被係止物が外れる方向（図２のＨ方向）に対して係止突部４が傾斜しているので、外れる力が分散するためと考えられる。
【００１８】
また、クリップ部材３の先端内壁部を、軸筒２とクリップ部材３間に配設したコイルスプリング１１によって、軸筒外壁面２ａ側に常時弾発する構造とすることで、被係止物（図示せず）を挟持する力をコイルスプリング１１によって適宜選択することができ、容易に被係止物が外れないように比較的強い挟持力としてあっても、クリップ部材３が破損する恐れはなく、さらに経時によって軸筒２と係止突部４の接点Ｓが離間することはない。そのため、係止突部４をハの字形状に形成するとともに、クリップ部材３の先端内壁部を、軸筒外壁面２ａ側に常時弾発することで、より強い挟持力が得られるので好ましい。
【００１９】
本実施例では、便宜上、クリップ部材の先端内壁部を、筒体とクリップ部材間に配設したコイルスプリングによって、筒体外壁面側に常時弾発する構造としてあるが、弾性体としてＵ字状バネや板バネを用いてもよいし、筒体と一体にクリップ部材を形成してあってもよい。また、本実施例では、筒体を軸筒して例示してあるが、筒体をキャップとし、キャップにクリップ部材を付設する構造であってもよい。
【産業上の利用可能性】
【００２０】
キャップ式、ノック式等、クリップ部材を有する筆記具として広く実施可能であり、被係止物の挟持力が高く、容易に被係止物から外れないので、通勤や通学等の移動時に効果的である。
【図面の簡単な説明】
【００２１】
【図１】実施例１のクリップ部材を有する筆記具を示す一部省略した縦断面図である。
【図２】図１におけるクリップ部材のみを軸筒側から見た図である。
【図３】図１におけるＡ−Ａ拡大断面図であり、装飾部材を省略した図である。
【図４】図１におけるＢ−Ｂ拡大断面図である。
【図５】図１におけるＣ−Ｃ拡大断面図である。
【図６】従来のクリップ部材のみを軸筒側から見た図である。
【符号の説明】
【００２２】
１  クリップ部材を有する筆記具
２  軸筒
３  クリップ部材
３ａ  先端内壁部
４  貫通穴
５、６  突部
７、８  突起部
８  支柱
９  係合凹部
１０  係合凸部
１１  コイルスプリング
【図１】
2006240104.tif 000003
【図２】
2006240104.tif 000004
【図３】
2006240104.tif 000005
【図４】
2006240104.tif 000006
【図５】
2006240104.tif 000007
【図６】
2006240104.tif 000008